(57)【要約】　　　（修正有）【課題】家庭用の園芸等において、手でプランター内等に入れるだけで手軽に施肥することができる肥料体および植生マットを得るにある。【解決手段】透水性を有する細長状に形成された袋体２と、この袋体に収納された、少なくとも家畜等の排泄物をペレット状、粉状等に加工したものを含んだ固形肥料３とで肥料体を構成している。【選択図】図３
2004010425.tif 000002
【特許請求の範囲】
【請求項１】
透水性を有する細長状に形成された袋体と、この袋体に収納された、少なくとも家畜等の排泄物をペレット状、粉状等に加工したものを含んだ固形肥料とからなることを特徴とする肥料体。
【請求項２】
透水性を有するとともに、土中で分解される、細長状に形成された袋体と、この袋体に収納された、少なくとも家畜等の排泄物をペレット状、粉状等に加工したものを含んだ遅効性の固形肥料とからなることを特徴とする肥料体。
【請求項３】
少なくとも２層で形成された水溶性のシート材と、このシート材のシート層間に少なくとも配された種子と、前記シート材に固定されたネット材と、このネット材に所定間隔離間されて複数取付けられた、透水性を有する細長状に形成された袋体、この袋体に収納された、少なくとも家畜等の排泄物をペレット状、粉状等に加工したものを含んだ固形肥料とからなる肥料体とからなることを特徴とする植生ネット。
【請求項４】
固形肥料は、窒素含有率が３％で構成されているとともに、該窒素は、速効性窒素が１０％、およそ２〜３ヶ月で作用する遅効性窒素が２０％、土に残り次の時季に作用する地力窒素が７０％で構成されていることを特徴とする請求項１、２、３記載の肥料体および植性ネット。
【請求項５】
袋体内には固形肥料、土壌改良剤、保水剤が収納されていることを特徴とする請求項１、２、３記載の肥料体および植性ネット。
【発明の詳細な説明】
【０００１】
【発明の属する技術分野】本発明は家庭用の園芸等に用いられる肥料体および植生ネットに関する。
【０００２】
【従来の技術】
従来、家庭用の園芸等では、粉状、ペレット状に加工された肥料が使用されている。
【０００３】
【発明が解決しようとする課題】
従来の肥料は、粉状、ペレット状に加工されたものが用いられているため、施肥する分量が定めづらく、また、施肥の際、プランター外等に誤って散在させてしまう等の不具合が伴うので、取り扱いに苦労するという欠点があった。
このため、家庭では手軽に施肥できないという欠点があった。
【０００４】
本発明は以上のような従来の欠点に鑑み、家庭用の園芸等において、手で持ってプランター内等に入れるだけで手軽に施肥することができる肥料体および植生ネットを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は、透水性を有する細長状に形成された袋体と、この袋体に収納された、少なくとも家畜等の排泄物をペレット状、粉状等に加工したものを含んだ固形肥料とで肥料体を構成している。
【０００７】
また、本発明は、少なくとも２層で形成された水溶性のシート材と、このシート材のシート層間に少なくとも配された種子と、前記シート材に固定されたネット材と、このネット材に所定間隔離間されて複数取付けられた、透水性を有する細長状に形成された袋体、この袋体に収納された、少なくとも家畜等の排泄物をペレット状、粉状等に加工したものを含んだ固形肥料とからなる肥料体とで植生ネットを構成している。
【０００８】
【発明の実施の形態】
以下、図面に示す実施の形態により、本発明を詳細に説明する。
【０００９】
図１ないし図５に示す本発明の第１の実施の形態において、１は種苗等の育成に用いられる本発明の肥料体で、この肥料体１は、透水性を有する細長状に形成された袋体２と、この袋体２に収納された、少なくとも家畜等の排泄物をペレット状、粉状等に加工したものを含んだ固形肥料３とで構成されている。
【００１０】
前記袋体２は、透水性を有する材質、本実施の形態では麻で形成され、花壇やプランター等の土に、直線的に用いたり、湾曲させて用いたり等するために、細長状に形成されているとともに、内部に固形肥料３、土壌改良剤４および保水材５が収納されて、略丸棒状になるように形成されている。
【００１１】
前記固形肥料３は、家畜等の排泄物を原料として高温発酵させ、ペレット状に加工されたものが用いられ、窒素の含有率が３％で構成されている。
また、前記固形肥料３は、遅効性となるように、前記窒素の含有率のうち、速効性窒素が１０％、およそ２〜３ヶ月で作用する遅効性窒素が２０％、土に残り次の時季に作用する地力窒素が７０％で構成されている。
なお、本実施の形態において、固形肥料３の窒素の構成は上記の比率に限らず、施肥する土によって、比率を変えて用いたり、いずれか一種の窒素で構成してもよい。
さらに、前記固形肥料３はペレット状に形成したものについて説明したが、本発明はこれに限らず、粉状で構成してもよい。
【００１２】
上記構成の肥料体１は、図５に示すように、花壇やプランター等、本実施の形態ではプランター６の内壁形状に沿うように湾曲させて埋設して用いる。このため、施肥時には肥料が散在する心配がなく、簡単に作業を行うことができる。
したがって、誰もが手軽に家庭用の園芸等を楽しむことができる。
また、この状態では、土中の水分が、袋体２を介して内部の固形肥料３に浸透するので、固形肥料３が溶け出すのを緩やかにすることでき、このため、肥料効果を長期にわたり持続させることができる。
さらに、前記肥料体１は、少なくとも家畜等の排泄物を原料にした固形肥料３を用いているので、家畜等の排泄物の再利用を有効的に図ることができる。
また、本実施の形態では、袋体２を麻で形成しているため、さらに長期間使用すると分解されるので、環境にも充分配慮することができる。
なお、本実施の形態において、袋体２には、固形肥料３や土壌改良剤４、保水材５が収納されたものについて説明したが、本発明はこれに限らず、固形肥料３だけを袋体２に収納して構成してもよい。
【００１３】
【発明の異なる実施の形態】次に、図６ないし図１６に示す本発明の異なる実施の形態につき説明する。なお、これらの本発明の異なる実施の形態の説明に当って、前記本発明の第１の実施の形態と同一構成部分には同一符号を付して重複する説明を省略する。
【００１４】
図６および図７に示す本発明の第２の実施の形態において、前記本発明の第１の実施の形態と主に異なる点は、固形肥料３と化学肥料７とを混在させた固形肥料３Ａを用いた点で、このような固形肥料３Ａを収納した肥料体１Ａにしても、前記本発明の第１の実施の形態と同様な作用効果が得られる。
【００１５】
図８および図９に示す本発明の第３の実施の形態において、前記本発明の第１の実施の形態と主に異なる点は、扁平状となるように袋体２Ａを形成した点で、このように形成した袋体２Ａを構成した肥料体１Ｂにしても前記本発明の第１の実施の形態と同様な作用効果が得られるとともに、袋体２Ａが扁平であるため、固形肥料３等の収納量を比較的抑えることができ、このため、中長期的に肥料効果を持続させることができる。
【００１６】
図１０ないし図１４に示す本発明の第４の実施の形態において、前記本発明の第１の実施の形態と主に異なる点は、少なくとも２層で形成された水溶性のシート材８と、このシート材８のシート層間８ａに配された種子９、土壌改良剤１０および粒状化成等の肥料１１と、前記シート材８に接着剤等で固定されたネット材１２と、このネット材１２に所定間隔離間されて複数取付けられた前記肥料体１、１、１、１、１とで植生ネット１３を構成した点で、このように構成された植生ネット１３にしても前記本発明の第１の実施の形態と同様な作用効果が得られるとともに、図１４に示すように法面１４等に敷設して用いることにより、降雨等の水分で、シート材８が溶け、種子９、土壌改良剤１０および肥料１１が該法面１４等になじんで、当該法面１４等の植生化を図ることができるとともに、前記肥料体１で長期にわたり固形肥料３の養分を供給することができるので、効果的に植生状態を維持させることができる。
なお、本実施の形態において、シート材８は、水溶性の不織布等で形成され、図１３に示すように、種子９、土壌改良剤１０および肥料１１を配した後に、該種子９等を挟むように上下に張り合わせて用いられる。
また、本実施の形態では、前記肥料体１を用いたものについて説明したが、本発明はこれに限らず、前記肥料体１Ａで構成してもよい。
さらに、本実施の形態では、シート材８のシート層間８ａに種子９、土壌改良剤１０および粒状化成等の肥料１１を配したものについて説明したが、本発明はこれに限らず、種子９だけを配したり、種子９および土壌改良剤１０を配する等、少なくとも前記シート材８のシート層間８ａに種子９が配されるように構成するものであればどのような構成であってもよい。
【００１７】
図１５および図１６に示す本発明の第５の実施の形態において、前記本発明の第４の実施の形態と主に異なる点は、肥料体１Ｃで、この肥料体１Ｃは、透水性を有する不織布で形成された一端部が閉塞された長尺の袋体２Ｂに、所定量の固形肥料３、土壌改良剤４および保水材５を充填した後、他端部を糊付け等によって閉塞し、順次、前記固形肥料３等を充填して、複数の連なった肥料体１Ｃ、１Ｃ、１Ｃ、１Ｃ、１Ｃを形成するとともに、閉塞部分１ａで切り離して個別の肥料体１Ｃを形成したもので、このようにして得られた肥料体１Ｃで構成された植生ネット１３Ａにしても前記本発明の第４の実施の形態と同様の作用効果が得られる。
なお、前記閉塞部分１ａの切り離しは、刃物等で切断するように構成してもよいが、本実施の形態では、ミシン目１５を予め形成しておき、手等で切り離しできるように構成されている。
【００１８】
なお、前記本発明の各実施の形態において、袋体２、２Ａ、２Ｂの材質は、麻や透水性を有する不織布で構成したものについて説明したが、本発明はこれに限らず、透水性を有するものであれば、例えば、和紙、生分解樹脂繊維等で形成されたシート材等で構成してもよく、特にこの場合は、透水性の他に長期間使用すると、土中へ分解されるので、環境に配慮することができる。
【００１９】
【発明の効果】
以上の説明から明らかなように、本発明にあっては次に列挙する効果が得られる。
【００２０】
（１）透水性を有する細長状に形成された袋体と、この袋体に収納された、少なくとも家畜等の排泄物をペレット状、粉状等に加工したものが含まれた固形肥料とで構成されているので、手でプランター内等に入れるだけで施肥することができる。
したがって、趣味程度で行われる家庭用の園芸等においても、誰もが手軽に施肥することができる。
【００２１】
（２）前記（１）によって、細長状に形成された袋体にペレット状、粉状等に加工された固形肥料が収納されているので、直線的に用いたり、略Ｕ字状等に曲げて用いることができる。
したがって、適宜、プランター等の形状に合わせて用いることができる。
【００２２】
（３）前記（１）によって、固形肥料は、少なくとも家畜等の排泄物をペレット状、粉状等に加工したものを用いているので、家畜等の排泄物を有効的に再利用することができる。
したがって、家畜等の排泄物の処理の問題等に有効に対応することができる。
【００２３】
（４）前記（１）によって、透水性を有する袋体を構成しているので、土中等の水分が、当該袋体を介して内部の固形肥料にしみることによって、固形肥料の溶け出しを緩やかにすることできる。
したがって、肥料効果を長期にわたり持続させることができる。
【００２４】
（５）前記（１）によって、構造が簡単であるので、容易に実施することができる。
【００２５】
（６）請求項２、４も前記（１）〜（５）と同様の効果が得られるとともに、遅効性の固形肥料を用いているので、より肥料効果を長期にわたり持続させることができる。
【００２６】
（７）請求項３も前記（１）〜（５）と同様の効果が得られるとともに、法面等に敷設するだけで、当該法面等の植生化を図ることができる。
【００２７】
（８）請求項５も前記（１）〜（５）と同様の効果が得られる。
【図面の簡単な説明】
【図１】本発明の第１の実施の形態の正面図。
【図２】図１の２−２線に沿う拡大断面図。
【図３】本発明の第１の実施の形態の袋体の説明図。
【図４】本発明の第１の実施の形態の固形肥料の成分を示した説明図。
【図５】本発明の第１の実施の形態の使用状態の説明図。
【図６】本発明の第２の実施の形態の正面図。
【図７】図６の７−７線に沿う拡大断面図。
【図８】本発明の第３の実施の形態の正面図。
【図９】図８の９−９線に沿う拡大断面図。
【図１０】本発明の第４の実施の形態の正面図。
【図１１】本発明の第４の実施の形態の背面図。
【図１２】図１０の１２−１２線に沿う断面図。
【図１３】本発明の第４の実施の形態のシート材の説明図。
【図１４】本発明の第４の実施の形態の使用状態の説明図。
【図１５】本発明の第５の実施の形態の正面図。
【図１６】本発明の第５の実施の形態の肥料体の説明図。
【符号の説明】
１、１Ａ〜１Ｃ：肥料体、　　２、２Ａ、２Ｂ：袋体、
３、３Ａ：固形肥料、　　　　４：土壌改良剤、
５：保水材、　　　　　　　　６：プランター、
７：化学肥料、　　　　　　　８：シート材、
９：種子、　　　　　　　　　１０：土壌改良剤、
１１：肥料、　　　　　　　　１２：ネット材、
１３、１３Ａ：植生ネット、　１４：法面、
１５：ミシン目。
【図１】
2004010425.tif 000003
【図２】
2004010425.tif 000004
【図３】
2004010425.tif 000005
【図４】
2004010425.tif 000006
【図５】
2004010425.tif 000007
【図６】
2004010425.tif 000008
【図７】
2004010425.tif 000009
【図８】
2004010425.tif 000010
【図９】
2004010425.tif 000011
【図１０】
2004010425.tif 000012
【図１１】
2004010425.tif 000013
【図１２】
2004010425.tif 000014
【図１３】
2004010425.tif 000015
【図１４】
2004010425.tif 000016
【図１５】
2004010425.tif 000017
【図１６】
2004010425.tif 000018